(57)【要約】【課題】シートバックを前傾させても、リクライニング機構を外側から見えないように覆うことができるトリムカーペットを提供する。【解決手段】自動車用シートのシートバックの背面下部に設けられ、リクライニング機構を覆うトリムカーペットが、シートバック背面の凹部に設けられるバックボードの裏面に重ねられ、上端が弾性帯体でバックボードに連結され、下端がシートクッションの底部に固定されることを特徴とする。好ましくは、トリムカーペットにスリットが穿設され、該スリットにバックボートに設けられた留め具がスライド可能に挿入される。【選択図】図１
2010005158.tif 000002
【特許請求の範囲】
【請求項１】
自動車用シートのシートバックの背面下部に設けられ、リクライニング機構を覆うトリムカーペットが、前記シートバック背面の凹部に設けられるバックボードの裏面に重ねられ、上端が弾性帯体で前記バックボードに連結され、下端がシートクッションの底部に固定されることを特徴とするシートバックのトリムカーペット。
【請求項２】
前記トリムカーペットに穿設されたスリットに、前記バックボートに設けられた留め具がスライド可能に挿入されることを特徴とする請求項１に記載のシートバックのトリムカーペット。
【発明の詳細な説明】
【技術分野】
【０００１】
本発明は、車両用シートのシートバック背面に取り付けられたトリムカーペットに係り、より詳細には、シートバックを前傾した場合でも、シートバック背面下部のリクライニング機構が外側から見えないようにできるトリムカーペットに関する。
【背景技術】
【０００２】
図２は、従来の車両用シートのシートバック背面に取り付けられるトリムカーペットの斜視図である。車両用シート１のシートバック２の背面凹部には、シートの汚れを防止するためバックボード５が設けられる。バックボード５の下端にトリムカーペット６が取り付けられ、リクライニング機構４が外側から見えないように覆っている。図２の左側は、バックボード５とトリムカーペット６をシートバック２から取り外した図であり、バックボード５の下端に設けられた弾性帯体７は、シートクッション３の底部に取り付けられる。
【０００３】
シートバック２を前傾すると、トリムカーペット６がバックボード５に引っ張られて弾性帯体７が伸びる。これによりトリムカーペット６の下端が、上方に移動するので、リクライニング機構４の一部が見えるところとなる。すなわち、トリムカーペット６のカバーとしての機能が十分ではない。なお、特許文献１は、シート・リア・カバー１７の下端にゴムバンド１９が取り付けられ、ゴムバンド１７の先端に設けたフック１８が、補強ロッドに引っ掛けられ、シートバック後方下端の隙間を覆い隠すようにした例である。
【特許文献１】特開平１１−３０１３２６号公報
【発明の開示】
【発明が解決しようとする課題】
【０００４】
本発明の目的は、シートバックを前傾させても、リクライニング機構を外側から見えないように覆うことができるトリムカーペットを提供することにある。
【課題を解決するための手段】
【０００５】
上記の目的を達成するため、本発明による請求項１に記載のシートバックのトリムカーペットは、自動車用シートのシートバックの背面下部に設けられ、リクライニング機構を覆うトリムカーペットが、前記シートバック背面の凹部に設けられるバックボードの裏面に重ねられ、上端が弾性帯体で前記バックボードに連結され、下端がシートクッションの底部に固定されることを特徴とする。
【０００６】
請求項２は、前記トリムカーペットに穿設されたスリットに、前記バックボートに設けられた留め具がスライド可能に挿入されることを特徴とする。
【発明の効果】
【０００７】
請求項１に記載のシートバックのトリムカーペットによれば、トリムカーペットの下端をシートクッション底部に固定したので、シートバックを前傾させても、トリムカーペットは動かない。一方、バックボートは、シートバックの背面凹部に取り付けられているので、シートバックの前傾に伴い上方に回り込む。そして弾性帯体を引っ張りバックボードの下端は上方にスライドする。バックボードの下端が上方にスライドしても、トリムカーペットがバックボードの裏側に重ねて配置しているので、バックボードの下端とトリムカーペットの上端との間に隙間が生じることがない。すなわち、トリムカーペットが見えるだけで、リクライニング機構が外から見えることはない。
【０００８】
請求項２によれば、バックボードの留め具がトリムカーペットのスリットに挿入されるので、シートバックの前傾時、バックボードをトリムカーペットから離れないようにスライドさせることができる。
【発明を実施するための最良の形態】
【０００９】
以下、図面を参照して、本発明によるシートバックのトリムカーペットについて説明する。
【実施例】
【００１０】
図１は、本発明によるシートバック背面に取り付けられたトリムカーペットの斜視図である。トリムカーペット６が、車両用シート１のシートバック２の背面に取り付けられた図（右側）と、トリムカーペット６とバックボード５がシートバック２の背面から取り外された図（左側）を示す。図１の左側に示すように、トリムカーペット６は、バックボード５の裏面に重ねるように取り付けられる。そして、トリムカーペット６の下端は、シートクッション３の底部に固定され、トリムカーペット６の上端は、例えばゴムバンドの弾性帯体７で、バックボード５に連結される。トリムカーペット６に穿設されたスリット８は、バックボード５からの留め具９が挿入され、バックボード５はスライド可能となる。
【００１１】
図１の右側の車両用シート１に示すように、シートバック２が前傾されると、シートバック２に取り付けられたバックボード５は、弾性帯体７を引っ張って回り込む。その時、バックボード５に取り付けられた留め具９は、トリムカーペット６のスリット８に沿ってスライドされる。バックボードの下端が上方にスライドしても、トリムカーペット６がバックボード５の裏側に重ねて配置されているので、バックボード５の下端とトリムカーペット６の上端との間に隙間が生じることがない。このようにシートバック２を前傾しても、トリムカーペット６が動かないので、トリムカーペット６で覆われたリクライニング機構４が、外側から見えることはない。
【産業上の利用可能性】
【００１２】
本発明によるトリムカーペットは、シートバックの背面下部をシートバックが前傾された状態でも良好に覆うので車両用シートに好適である。
【図面の簡単な説明】
【００１３】
【図１】本発明によるシートバック背面に取り付けられたトリムカーペットの斜視図である。右側はトリムカーペットがシートバック背面に取り付けられた図であり、左側はトリムカーペットとバックボードがシートバック背面から取り外された図である。（実施例１）
【図２】従来のシートバック背面に取り付けられたトリムカーペットの斜視図である。右側はトリムカーペットがシートバック背面に取り付けられた図であり、左側はトリムカーペットとバックボードがシートバック背面から取り外された図である。
【符号の説明】
【００１４】
１    車両用シート
２    シートバック
３    シートクッション
４    リクライニング機構
５    バックボード
６    トリムカーペット
７    弾性帯体
８    スリット
９    留め具
【図１】
2010005158.tif 000003
【図２】
2010005158.tif 000004